(57)【要約】  広帯域CC用のユーザ機器（UE）における周波数位置インデックス化方法が提供される。本方法は、UEでUE独立型周波数参照点を受信するステップを含む。本方法は、UE独立型周波数参照点に従って、UEによって、周波数位置のUE独立型周波数位置インデックスを決定するステップをさらに含む。この方法を実行するためのUEがさらに提供される。1つ以上のプロセッサによって実行されると、本方法を実行する非一時的なコンピュータ可読方法がさらに提供される。
2020523900.tif 000002
【特許請求の範囲】
【請求項１】
広帯域コンポーネントキャリア（CC）用のユーザ機器（UE）における周波数位置インデックス化方法であって、
前記UEで、UE独立型周波数参照点を受信するステップと、
前記UE独立型周波数参照点に従って、前記UEによって、周波数位置の前記UE独立型周波数位置インデックスを決定するステップと
を含む、方法。
【請求項２】
前記参照点が、システム情報を通じてシグナリングされる、請求項1に記載の方法。
【請求項３】
前記周波数位置が、物理リソースブロック（PRB）を含む、請求項1に記載の方法。
【請求項４】
前記参照点が、参照同期信号（SS）ブロックの特定の部分に対する事前定義されたオフセットを有する、事前定義されたサブキャリアまたは事前定義された物理リソースブロック（PRB）を含む、請求項1または2に記載の方法。
【請求項５】
物理リソースブロック（PRB）の前記周波数位置インデックスが、PRBの数において、前記PRBから参照点までの距離によって決定される、請求項1から4のいずれか一項に記載の方法。
【請求項６】
SSブロックを受信するステップをさらに含み、前記SSブロックが複数のSSブロックのうちの1つであり、前記参照点が前記SSブロックによって決定される、請求項1から5のいずれか一項に記載の方法。
【請求項７】
SSブロックの相対周波数距離が、システム情報でシグナリングされる、請求項6に記載の方法。
【請求項８】
前記複数のSSブロックのうちの前記SSブロックが、対応する残りの最小システム情報（remaining minimum system information、RMSI）を有する、請求項6に記載の方法。
【請求項９】
前記複数のSSブロックのそれぞれの周波数インデックスが、対応するシステム情報でシグナリングされる、請求項6に記載の方法。
【請求項１０】
前記システム情報が、物理ブロードキャストチャネル（PBCH）またはRMSIのうちの1つを含む、請求項2から9のいずれか一項に記載の方法。
【請求項１１】
RMSIおよびその制御リソースセット（CORESET）に対して使用するために生成されたシーケンスの前記周波数位置インデックス化が、ユニキャストデータに対して使用されるシーケンスの前記周波数位置インデックス化とは異なり、前記RMSIおよびそのCORESETを復号するために特定の参照信号（RS）が使用される、請求項8から10のいずれか一項に記載の方法。
【請求項１２】
RMSIおよびその制御リソースセット（CORESET）に対して使用するために生成されたシーケンスの前記周波数位置インデックス化が、ユニキャストデータに対して使用されるシーケンスの前記周波数位置インデックス化と同じである、請求項8から10のいずれか一項に記載の方法。
【請求項１３】
前記参照点が、広帯域コンポーネントキャリア（WCC）の下りリンク直流（DC）サブキャリアの位置を含む、請求項1に記載の方法。
【請求項１４】
前記DC情報の一部が、物理ブロードキャストチャネル（PBCH）でシグナリングされる、請求項13に記載の方法。
【請求項１５】
前記DCが共通帯域幅部分（bandwidth part、BWP）に存在する場合は、前記参照点が、共通BWP内の前記DCの事前定義された位置に従って決定される、請求項14に記載の方法。
【請求項１６】
前記DCの位置が、前記SSブロックの参照点、または共通帯域幅部分（bandwidth part、BWP）の参照点に対するオフセットとして提供される、請求項15に記載の方法。
【請求項１７】
前記PRB、前記SSブロック、または前記サブキャリアが、デフォルトのニューメロロジーを使用する、請求項3から16のいずれか一項に記載の方法。
【請求項１８】
第1のニューメロロジーの前記周波数参照点が、事前定義された規則を使用して、デフォルトのニューメロロジーの前記周波数参照点に従って決定される、請求項1に記載の方法。
【請求項１９】
任意のニューメロロジーの前記参照PRBの周波数範囲が、より小さいサブキャリア間隔（SCS）を有する、各ニューメロロジーの前記参照PRBの周波数範囲のスーパーセットである、請求項18に記載の方法。
【請求項２０】
前記特定のPRBが、システム情報を通じて事前定義またはシグナリングされる、請求項19に記載の方法。
【請求項２１】
n≧1のSCS 2−nf0の前記参照PRBが、SCS f0の前記参照PRBに含まれる前記PRBのうちのkn番目のPRBを含み、knは、1、2n、2n−1、2n−1＋1、およびmin（k，2n）のうちの1つであり、kは事前定義された値である、請求項20に記載の方法。
【請求項２２】
n≧1の任意のSCS 2nf0に対して、SCS 2nf0の前記参照PRBが、左揃えまたは右揃えのいずれかでSCS f0の前記参照PRBと揃えられる、請求項21に記載の方法。
【請求項２３】
SSブロックのPBCHの1ビットが、前記SSブロックが参照SSブロックであるかどうかを示す、請求項4に記載の方法。
【請求項２４】
広帯域コンポーネントキャリア（CC）用の周波数位置インデックス化を行うためのユーザ機器（UE）であって、
命令を含む非一時的なメモリ記憶装置と、
前記非一時的なメモリ記憶装置と通信する1つ以上のプロセッサであって、前記1つ以上のプロセッサが、請求項1から23のいずれか一項に記載の方法に従って命令を実行する、プロセッサと
を備える、ユーザ機器（UE）。
【請求項２５】
1つ以上のプロセッサによって実行されると、前記1つ以上のプロセッサが請求項1から23のいずれか一項に記載の方法を実行する、広帯域コンポーネントキャリア（CC）用のユーザ機器（UE）において周波数位置インデックス化のためのコンピュータ命令を記憶する、非一時的なコンピュータ可読媒体。
【発明の詳細な説明】
【技術分野】
【０００１】
本開示は一般に、無線通信用のシステムおよび方法に関し、特定の実施形態において、広帯域コンポーネントキャリアの周波数位置インデックス化のシステムおよび方法に関する。
【背景技術】
【０００２】
第5世代移動通信ネットワーク（5G）は、現行の4G規格を超える、提案されている次世代の通信規格である。5Gの目的の一部は4Gよりも高性能にすることを含み、これによってモバイルブロードバンドのユーザ密度を高くすることが可能になる。5Gは、端末間の超高信頼の、超多数マシン通信を支援することをさらに提案する。さらに5Gは、データ転送速度を現在可能な速度よりも速くすることを提案する。しかしながら、このような目的を達成するためには、いくつかの問題に対処し解決しなければならない。克服すべき問題の1つは、UEがそのコンポーネントキャリア（CC）の帯域幅を知り得ないシステム、ならびに帯域内キャリアアグリゲーション（CA）モードで動作するUEと、単一広帯域モードで動作するUEとを含み得るシステムで、ユーザ機器（UE）に参照信号を提供することである。
【発明の概要】
【課題を解決するための手段】
【０００３】
技術的な利点が本開示の実施形態によって概ね実現され、広帯域CC内のユーザ機器（UE）における周波数位置インデックス化のシステムおよび方法について説明する。本開示の1つ以上の実施形態の利点は、UEが単一の通常CCモードで動作するか、帯域内CAモードで動作するか、それとも単一の広帯域モードで動作するどうかにかかわらず、ネットワーク内のすべての装置で同じになる周波数位置インデックス化である。本開示の1つ以上の実施形態の別の利点は、周波数位置インデックス化が、CC帯域幅を知ることなく実行され得ることである。他の利点については、以下の開示を読めば当業者に明らかとなるであろう。
【０００４】
本開示の実施形態によれば、広帯域CC用のユーザ機器（UE）における、周波数位置インデックス化方法は、UEでUE独立型周波数参照点を受信するステップを含む。本方法は、UE独立型周波数参照点に従って、UEによって、周波数位置のUE独立型周波数位置インデックスを決定するステップをさらに含む。
【０００５】
本開示の実施形態によれば、広帯域CCにおける周波数位置インデックス化用の無線装置は、命令、および非一時的なメモリ記憶装置を備え、非一時的なメモリ記憶装置は、これと通信する1つ以上のプロセッサを含む。1つ以上のプロセッサは、UEでUE独立型周波数参照点を受信するための命令を実行する。1つ以上のプロセッサは、UE独立型周波数参照点に従って、UEによって、周波数位置のUE独立型周波数位置インデックスを決定する命令をさらに実行する。
【０００６】
本開示の実施形態によれば、非一時的なコンピュータ可読媒体は、広帯域CCの周波数位置インデックス化のためのコンピュータ命令を記憶し、1つ以上のプロセッサによって実行されると、1つ以上のプロセッサがUEでUE独立型周波数参照点を受信する。命令が1つ以上のプロセッサによって実行されると、1つ以上のプロセッサはさらに、UE独立型周波数参照点に従って、UEによって周波数位置のUE独立型周波数位置インデックスを決定する。
【０００７】
任意に、前述した態様のいずれかにおいて、態様の別の実施では、周波数位置は物理リソースブロック（PRB）を含む。
【０００８】
任意に、前述した態様のいずれかにおいて、態様の別の実施では、参照点は、参照同期信号（SS）ブロックの位置に対して事前定義された参照点を含む。SSブロックは、下りリンク（DL）同期信号、および物理ブロードキャストチャネルPBCHを含む。
【０００９】
任意に、前述した態様のいずれかにおいて、態様の別の実施では、参照点は参照SSブロックの開始サブキャリア、または開始物理リソースブロック（PRB）を含む。
【００１０】
任意に、前述した態様のいずれかにおいて、態様の別の実施では、参照点は参照SSブロックの最終サブキャリア、または最終物理リソースブロック（PRB）を含む。
【００１１】
任意に、前述した態様のいずれかにおいて、態様の別の実施では、参照点は参照SSブロックの中間サブキャリア、中間物理リソースブロック（PRB）、または中心周波数を含む。
【００１２】
任意に、前述した態様のいずれかにおいて、態様の別の実施では、参照点は参照SSブロック内の事前定義されたサブキャリア、または事前定義された物理リソースブロック（PRB）を含む。
【００１３】
任意に、前述した態様のいずれかにおいて、態様の別の実施では、参照点は、SSブロックの残りの最小システム情報（remaining minimum system information、RMSI）を受信するための共通のリソース領域内に、事前定義されたサブキャリア、または事前定義された物理リソースブロック（PRB）を含む。
【００１４】
任意に、前述した態様のいずれかにおいて、態様の別の実施では、参照点は、参照SSブロックの外側に事前定義されたサブキャリア、または物理リソースブロック（PRB）を含み、事前定義されたサブキャリアまたは物理リソースブロック（PRB）は、参照SSブロックの特定の部分に対して事前定義されたオフセットを有する。
【００１５】
任意に、前述した態様のいずれかにおいて、態様の別の実施では、物理リソースブロック（PRB）の周波数位置インデックスは、PRBから参照点までの距離に従って決定される。
【００１６】
任意に、前述した態様のいずれかにおいて、態様の別の実施では、距離がPRBの数で規定される。
【００１７】
任意に、前述した態様のいずれかにおいて、態様の別の実施では、参照SSブロックは、広帯域コンポーネントキャリア（WCC）内に単一のSSブロックを含む。
【００１８】
任意に、前述した態様のいずれかにおいて、態様の別の実施では、本方法はSSブロックを受信するステップをさらに含み、SSブロックは複数のSSブロックのうちの1つであり、複数のSSブロックの連続するブロック間の周波数距離は固定かつ事前定義されており、参照点はSSブロックに従って決定される。
【００１９】
任意に、前述した態様のいずれかにおいて、態様の別の実施では、複数のSSブロックの連続するブロック間の距離は均一である。
【００２０】
任意に、前述した態様のいずれかにおいて、態様の別の実施では、複数のSSブロックの連続するブロックの第1の対同士の間の距離は、複数のSSブロックの連続するブロックの第2の対同士の間の距離とは異なっている。
【００２１】
任意に、前述した態様のいずれかにおいて、態様の別の実施では、SSブロックの相対周波数距離は、システム情報でシグナリングされる。
【００２２】
任意に、前述した態様のいずれかにおいて、態様の別の実施では、システム情報は残りの最小システム情報（remaining minimum system information、RMSI）を含む。
【００２３】
任意に、前述した態様のいずれかにおいて、態様の別の実施では、RMSIおよびその制御リソースセット（CORESET）には特定の参照信号（RS）が使用される。
【００２４】
任意に、前述した態様のいずれかにおいて、態様の別の実施では、複数のSSブロックのそれぞれの周波数インデックスは、対応するシステム情報でシグナリングされる。
【００２５】
任意に、前述した態様のいずれかにおいて、態様の別の実施では、システム情報は、物理ブロードキャストチャネル（PBCH）またはRMSIのうちの1つを含む。
【００２６】
任意に、前述した態様のいずれかにおいて、態様の別の実施では、参照点は、広帯域コンポーネントキャリア（WCC）の下りリンク直流（DC）サブキャリアの位置を含む。
【００２７】
任意に、前述した態様のいずれかにおいて、態様の別の実施では、DC情報の一部は、物理ブロードキャストチャネル（PBCH）でシグナリングされる。
【００２８】
任意に、前述した態様のいずれかにおいて、態様の別の実施では、参照点は、共通帯域幅部分（bandwidth part、BWP）にDCが存在する場合は、共通BWP内のDCの事前定義された位置に従って決定される。
【００２９】
任意に、前述した態様のいずれかにおいて、態様の別の実施では、DCの位置は、SSブロックの参照点、または共通帯域幅部分（bandwidth part、BWP）の参照点に対するオフセットとして提供される。
【００３０】
任意に、前述した態様のいずれかにおいて、態様の別の実施では、参照点はシステム情報を通じてシグナリングされる。
【００３１】
任意に、前述した態様のいずれかにおいて、態様の別の実施では、システム情報は残りの最小システム情報（remaining minimum system information、RMSI）を含む。
【００３２】
任意に、前述した態様のいずれかにおいて、態様の別の実施では、参照点は参照SSブロック内の事前定義されたサブキャリア、または事前定義された物理リソースブロック（PRB）を含む。
【００３３】
任意に、前述した態様のいずれかにおいて、態様の別の実施では、参照点は、SSブロックの残りの最小システム情報（remaining minimum system information、RMSI）を受信するための共通のリソース領域内に、事前定義されたサブキャリア、または事前定義された物理リソースブロック（PRB）を含む。
【００３４】
任意に、前述した態様のいずれかにおいて、態様の別の実施では、参照点は、参照SSブロックの外側に事前定義されたサブキャリア、または事前定義された物理リソースブロック（PRB）を含み、事前定義されたサブキャリアまたはPRBは、参照SSブロックの特定の部分に対して事前定義されたオフセットを有する。
【００３５】
任意に、前述した態様のいずれかにおいて、態様の別の実施では、本方法は、参照物理リソースブロック（PRB）のデフォルトのニューメロロジーを取得し、デフォルトのニューメロロジーに従って最初のPRBのニューメロロジーを決定するステップをさらに含む。
【００３６】
任意に、前述した態様のいずれかにおいて、態様の別の実施では、第1のニューメロロジーの周波数参照点は、事前定義された規則を使用して、デフォルトのニューメロロジーの周波数参照点に従って決定される。
【００３７】
任意に、前述した態様のいずれかにおいて、態様の別の実施では、RSシーケンス生成のための周波数位置インデックス化は、サブキャリア間隔固有である。各サブキャリア間隔の周波数位置インデックス化のための参照点は、事前定義された規則によって、デフォルトのサブキャリア間隔の参照点から取得される。
【００３８】
任意に、前述した態様のいずれかにおいて、態様の別の実施では、サブキャリア間隔（SCS）がデフォルトのSCSよりも小さいニューメロロジーのための事前定義された規則は、参照物理リソースブロック（PRB）を、デフォルトのニューメロロジーの参照PRBに含まれるPRB中の、特定のPRBとして定義する。
【００３９】
任意に、前述した態様のいずれかにおいて、態様の別の実施では、特定のPRBは、システム情報を通じて事前定義またはシグナリングされる。
【００４０】
任意に、前述した態様のいずれかにおいて、態様の別の実施では、n≧1のSCS 2−nf0の参照PRBは、デフォルトのSCS f0の参照PRBに含まれるPRB中の、kn番目のPRBを含む。
【００４１】
任意に、前述した態様のいずれかにおいて、態様の別の実施では、knが1、2n、2n−1、2n−1＋1、およびmin（k，2n）のうちの1つである。
【００４２】
任意に、前述した態様のいずれかにおいて、態様の別の実施では、n≧1のSCS 2−nf0の参照PRBは、SCS 2−n＋1f0の参照PRBに含まれるPRBの中で、nが奇数であれば最後のPRBを含み、nが偶数であれば最初のPRBを含む。
【００４３】
任意に、前述した態様のいずれかにおいて、態様の別の実施では、n≧1のSCS 2−nf0の参照PRBは、SCS 2−n＋1f0の参照PRBに含まれるPRBの中で、nが奇数であれば最初のPRBを含み、nが偶数であれば最後のPRBを含む。
【００４４】
任意に、前述した態様のいずれかにおいて、態様の別の実施では、デフォルトのSCSの参照PRBからより大きいSCSのPRBグリッドおよび参照PRBを得るために、サブキャリア間隔（SCS）がデフォルトのSCSよりも大きいニューメロロジーの事前定義された規則が使用される。
【００４５】
任意に、前述した態様のいずれかにおいて、態様の別の実施では、n≧1の任意のSCS 2nf0については、SCS 2nf0の参照PRBは、デフォルトのSCS f0の参照PRBと左揃えされる。
【００４６】
任意に、前述した態様のいずれかにおいて、態様の別の実施では、n≧1の任意のSCS 2nf0については、SCS 2nf0の参照PRBは、デフォルトのSCS f0の参照PRBと右揃えされる。
【００４７】
任意に、前述した態様のいずれかにおいて、態様の別の実施では、n≧1の任意のSCS 2nf0については、nが奇数であればSCS 2−n＋1f0の参照PRBはSCS 2nf0の参照PRBと右揃えされ、nが偶数であればSCS 2n−1f0の参照PRBはSCS 2nf0の参照PRBと左揃えされる。
【００４８】
任意に、前述した態様のいずれかにおいて、態様の別の実施では、n≧1の任意のSCS 2nf0については、nが奇数であればSCS 2n−1f0の参照PRBはSCS 2nf0の参照PRBと左揃えされ、nが偶数であればSCS 2n−1f0の参照PRBはSCS 2nf0の参照PRBと右揃えされる。
【００４９】
任意に、前述した態様のいずれかにおいて、態様の別の実施では、周波数領域内で1つのSSブロックのみが対応するRMSIを有し、その唯一のSSブロックが参照SSブロックである。
【００５０】
任意に、前述した態様のいずれかにおいて、態様の別の実施では、SSブロックのPBCHの1ビットが、SSブロックが参照SSブロックかどうかを示す。
【００５１】
任意に、前述した態様のいずれかにおいて、態様の別の実施では、RMSIおよびそのCORESETに使用するために生成されたシーケンスの周波数位置インデックス化は、ユニキャストデータに使用するシーケンスの周波数位置インデックス化と同じである。
【００５２】
任意に、前述した態様のいずれかにおいて、態様の別の実施では、RMSIおよびそのCORESETに使用するために生成されたシーケンスの周波数位置インデックス化は、ユニキャストデータに使用するシーケンスの周波数位置インデックス化とは異なり、RMSIおよびそのCORESETの復号には特定の参照信号（RS）が使用される。
【００５３】
任意に、前述した態様のいずれかにおいて、態様の別の実施では、RMSIおよびそのCORESET、ならびにユニキャストデータには、同種のシーケンス生成が使用される。
【００５４】
任意に、前述した態様のいずれかにおいて、態様の別の実施では、任意のニューメロロジーの参照PRBの周波数範囲は、より小さいサブキャリア間隔（SCS）を有する各ニューメロロジーの、参照PRBの周波数範囲のスーパーセットである。
【００５５】
上記では、後述する開示の詳細な説明がよりよく理解され得るように、本開示の実施形態の特徴についてやや大まかに概説した。本開示の実施形態のさらなる特徴および利点については以下で説明され、本開示のクレームの主題を形成する。開示される概念および特定の実施形態は、本開示の同じ目的を遂行するための他の構造または工程に変更する、またはそれらを設計する基礎として容易に利用され得ることを当業者であれば理解されたい。当業者には、このような等価の構造物は、添付の特許請求の範囲に記載されている本開示の精神および範囲から逸脱しないことも理解されたい。
【００５６】
本開示およびその利点をより完全に理解するために、ここで添付の図面と併せて以下の説明を参照する。
【図面の簡単な説明】
【００５７】
【図１】通信システムのネットワーク図である。
【図２Ａ】例示的な電子機器のブロック図である。
【図２Ｂ】例示的な電子機器のブロック図である。
【図３】WCCの実施形態の図である。
【図４】周波数領域における物理リソースブロック（PRB）のシステムの実施形態の図である。
【図５】参照点を共通BWPに対するWCCのDL DCサブキャリアの位置として識別する1つの選択肢を示すブロック図である。
【図６】参照点を共通BWPに対するWCCのDL DCサブキャリアの位置として識別する別の選択肢を示すブロック図である。
【図７】参照点を共通BWPに対するWCCのDL DCサブキャリアの位置として識別するさらに別の選択肢を示すブロック図である。
【図８】参照点を共通BWPに対するWCCのDL DCサブキャリアの位置として識別するさらに別の選択肢を示すブロック図である。
【図９】参照点を共通BWPに対するWCCのDL DCサブキャリアの位置として識別するさらに別の選択肢を示すブロック図である。
【図１０】参照点を共通BWPに対するWCCのDL DCサブキャリアの位置として識別するさらに別の選択肢を示すブロック図である。
【図１１】WCCにおける連続するSSブロック間の固定された一定の距離を示す、周波数領域におけるサブキャリアのシステムの実施形態の図である。
【図１２】WCCにおける連続するSSブロック間の固定された一定の距離を示す、周波数領域におけるサブキャリアのシステムの実施形態の図である。
【図１３】SCS 0．5f0についてはkn＝1の代替A、SCS 2f0および4f0については代替選択肢（ii）−1に従って、複数の異なるニューメロロジーの参照PRBの位置を示す図である。
【図１４】SCS 0．5f0についてはkn＝2nの代替A、SCS 2f0および4f0については代替選択肢（ii）−2に従って、複数の異なるニューメロロジーの参照PRBの位置を示す図である。
【図１５】SCS 0．5f0についてはkn＝2nの代替A、SCS 2f0および4f0については代替選択肢（ii）−4に従って、複数の異なるニューメロロジーの参照PRBの位置を示す図である。
【図１６】SCS 0．5f0についてはkn＝1の代替A、SCS 2f0および4f0については代替選択肢（ii）−2に従って、複数の異なるニューメロロジーの参照PRBの位置を示す図である。
【図１７】SCS 0．5f0についてはkn＝1の代替A、SCS 2f0および4f0については代替選択肢（ii）−3に従って、複数の異なるニューメロロジーに対する参照PRBの位置を示す図である。
【図１８】混合ニューメロロジーの参照PRBの例を示す図表である。
【図１９】FDM方式における混合ニューメロロジーの例を示す図表である。
【図２０】広帯域CCにおける周波数位置インデックスを決定する方法2100の実施形態のフローチャートである。
【図２１】構成部品モジュールのブロック図である。
【発明を実施するための形態】
【００５８】
別段の表示がない限り、異なる図面内の同一の番号および符号は、通常は同一の部品を指す。図面は、実施形態の関連する態様を明確に示すために描かれており、必ずしも正確な縮尺率ではない。
【００５９】
1つ以上の実施形態の例示的な実施が以下に示されているが、開示されるシステムおよび／または方法は、現在知られているかどうかにかかわらず、任意の技術を使用して実施されてもよいことをまず理解されたい。本開示は決して、本明細書で図示し説明する例示的な設計および実施を含む、例示されている実施、図面、および以下に示す技術に限定されるものではないが、その均等物の全範囲と共に、添付の特許請求の範囲内で修正され得る。
【００６０】
5G New Radio（NR）広帯域CCは、いくつかの機能をサポートする。基地局（例えば、gNB）は、いくつかのUEに対する広帯域CCとして、かつ他のUE用のCAを伴う一連の帯域内連続CC（intra−band contiguous CC）として、同時に運用することができる。広帯域CC内でCC間のゼロガードバンドが可能になれば有益であり、いくつかのシナリオでガードバンドがない場合は、チャネルラスタの実行時にこのことを考慮するべきである。ガードバンドが必要と考えられるシナリオがある場合は、広帯域CC内のCC間で、ガードバンド用のサブキャリアの数を最小にすることが有益であろう。さらに5G NRは、周波数領域内の広帯域CCで、単一および複数の同期信号（SS）ブロック伝送をサポートする見込みである。BW性能が低い非CAのUEに対して、そして潜在的にはCA UEに対しては、RRM測定、および潜在的にはSSブロックを使用する他の目的（例えば、UL電力制御の経路損失測定）の測定ギャップがサポートされる（（複数の）アクティブなBW部分（BW part（s））にSSブロックがないことが確実とされる場合）。UEは、RMSIシグナリング、他のシステム情報、またはRRCシグナリングなどのいずれかを介して、（複数の）SSブロックの存在およびパラメータ、ならびにRRM測定に使用されるパラメータが通知され得る。
【００６１】
UEが広帯域キャリアにアクセスする方法に関して、UEはタイプAおよびタイプBの2種類に分類され得る。タイプAのUEは、帯域内キャリアアグリゲーション（CA）モード（連続または非連続）で動作する。タイプBのUEは、単一の広帯域モードで動作する。どちらのタイプのUEも、目的に応じてDMRSおよびCSI−RSなどのDL参照信号（RS）を使用する必要がある。各DL RSシーケンスは、（いくつかの他のパラメータと共に）周波数位置インデックスの関数であるため、全タイプのUEが、DL RSシーケンスを生成する目的のために同じ周波数位置インデックス化を使用すればより効率的である。NRでは、そのコンポーネントキャリア（CC）の帯域幅をUEに知らせないことが可能である。したがって、周波数位置インデックス化は、CC帯域幅について不可知でなければならない。
【００６２】
本明細書で開示されるのは、周波数位置インデックス化に参照点を使用するシステムおよび方法である。より詳細には、本開示の実施形態は、広帯域コンポーネントキャリア内の全タイプのUEによる、参照信号生成のための周波数位置インデックス化に、単一の周波数参照点を使用し得る。さまざまな実施形態において、参照点は次のうちの1つであってもよい。1）参照SSブロックの位置に対する事前定義された参照点。2）広帯域CCの（下りリンク）DCサブキャリアの位置。3）参照点の位置が、残りの最小システム情報（remaining minimum system information、RMSI）その他のシステム情報を通じてシグナリングされる。実施形態では、1）広帯域コンポーネントキャリア（WCC）、および2）通常のコンポーネントキャリア（NCC）の2種類のキャリアがある。
【００６３】
本開示の実施形態によれば、広帯域コンポーネントキャリア（CC）用のユーザ機器（UE）における周波数位置インデックス化方法は、UEで、UE独立型周波数参照点を受信するステップを含む。本方法は、UE独立型周波数参照点に従って、UEによって、周波数位置のUE独立型周波数位置インデックスを決定するステップをさらに含む。
【００６４】
本開示の実施形態によれば、広帯域コンポーネントキャリア（CC）の周波数位置インデックス化用の無線装置は、命令、および非一時的なメモリ記憶装置を備え、非一時的なメモリ記憶装置は、これと通信する1つ以上のプロセッサを含む。1つ以上のプロセッサは、UEでUE独立型周波数参照点を受信するための命令を実行する。1つ以上のプロセッサは、UE独立型周波数参照点に従って、UEによって、周波数位置のUE独立型周波数位置インデックスを決定する命令をさらに実行する。
【００６５】
本開示の実施形態によれば、非一時的なコンピュータ可読媒体は、広帯域コンポーネントキャリア（CC）の周波数位置インデックス化のためのコンピュータ命令を記憶し、1つ以上のプロセッサによって実行されると、1つ以上のプロセッサがUEでUE独立型周波数参照点を受信する。命令が1つ以上のプロセッサによって実行されると、1つ以上のプロセッサはさらに、UE独立型周波数参照点に従って、UEによって周波数位置のUE独立型周波数位置インデックスを決定する。
【００６６】
任意に、前述した態様のいずれかにおいて、態様の別の実施では、周波数位置は物理リソースブロック（PRB）を含む。
【００６７】
任意に、前述した態様のいずれかにおいて、態様の別の実施では、参照点は、参照同期信号（SS）ブロックの位置に対して事前定義された参照点を含む。
【００６８】
任意に、前述した態様のいずれかにおいて、態様の別の実施では、参照点は参照SSブロックの開始サブキャリア、または開始物理リソースブロック（PRB）を含む。
【００６９】
任意に、前述した態様のいずれかにおいて、態様の別の実施では、参照点は参照SSブロックの最終サブキャリア、または最終物理リソースブロック（PRB）を含む。
【００７０】
任意に、前述した態様のいずれかにおいて、態様の別の実施では、参照点は参照SSブロックの中間サブキャリア、中間物理リソースブロック（PRB）、または中心周波数を含む。
【００７１】
任意に、前述した態様のいずれかにおいて、態様の別の実施では、参照点は参照SSブロック内の事前定義されたサブキャリア、または事前定義された物理リソースブロック（PRB）を含む。
【００７２】
任意に、前述した態様のいずれかにおいて、態様の別の実施では、参照点は、SSブロックの残りの最小システム情報（remaining minimum system information、RMSI）を受信するための共通のリソース領域内に、事前定義されたサブキャリア、または事前定義された物理リソースブロック（PRB）を含む。
【００７３】
任意に、前述した態様のいずれかにおいて、態様の別の実施では、参照点は、参照SSブロックの外側に事前定義されたサブキャリア、または物理リソースブロック（PRB）を含み、事前定義されたサブキャリアまたは物理リソースブロック（PRB）は、参照SSブロックの特定の部分に対して事前定義されたオフセットを有する。
【００７４】
任意に、前述した態様のいずれかにおいて、態様の別の実施では、物理リソースブロック（PRB）の周波数位置インデックスは、PRBから参照点までの距離に従って決定される。
【００７５】
任意に、前述した態様のいずれかにおいて、態様の別の実施では、距離がPRBの数で規定される。
【００７６】
任意に、前述した態様のいずれかにおいて、態様の別の実施では、参照SSブロックは、広帯域コンポーネントキャリア（WCC）内に単一のSSブロックを含む。
【００７７】
任意に、前述した態様のいずれかにおいて、態様の別の実施では、本方法はSSブロックを受信するステップをさらに含み、SSブロックは複数のSSブロックのうちの1つであり、複数のSSブロックの連続するブロック間の周波数距離は固定かつ事前定義されており、参照点はSSブロックに従って決定される。
【００７８】
任意に、前述した態様のいずれかにおいて、態様の別の実施では、複数のSSブロックの連続するブロック間の距離は均一である。
【００７９】
任意に、前述した態様のいずれかにおいて、態様の別の実施では、複数のSSブロックの連続するブロックの第1の対同士の間の距離は、複数のSSブロックの連続するブロックの第2の対同士の間の距離とは異なっている。
【００８０】
任意に、前述した態様のいずれかにおいて、態様の別の実施では、SSブロックの相対周波数距離は、システム情報でシグナリングされる。
【００８１】
任意に、前述した態様のいずれかにおいて、態様の別の実施では、システム情報は残りの最小システム情報（remaining minimum system information、RMSI）を含む。
【００８２】
任意に、前述した態様のいずれかにおいて、態様の別の実施は、RMSIおよびその制御リソースセット（CORESET）に使用するために生成されたシーケンスの周波数位置インデックス化が、ユニキャストデータに使用されるシーケンスの周波数位置インデックス化とは異なり、RMSIおよびそのCORESETには特定の参照信号（RS）が使用される。
【００８３】
任意に、前述した態様のいずれかにおいて、態様の別の実施では、複数のSSブロックのそれぞれの周波数インデックスは、対応するシステム情報でシグナリングされる。
【００８４】
任意に、前述した態様のいずれかにおいて、態様の別の実施では、システム情報は、物理ブロードキャストチャネル（PBCH）またはRMSIのうちの1つを含む。
【００８５】
任意に、前述した態様のいずれかにおいて、態様の別の実施では、参照点は、広帯域コンポーネントキャリア（WCC）の下りリンク直流（DC）サブキャリアの位置を含む。
【００８６】
任意に、前述した態様のいずれかにおいて、態様の別の実施では、DC情報の一部は、物理ブロードキャストチャネル（PBCH）でシグナリングされる。
【００８７】
任意に、前述した態様のいずれかにおいて、態様の別の実施では、参照点は、共通帯域幅部分（bandwidth part、BWP）にDCが存在する場合は、共通BWP内のDCの事前定義された位置に従って決定される。
【００８８】
任意に、前述した態様のいずれかにおいて、態様の別の実施では、DCの位置は、SSブロックの参照点、または共通帯域幅部分（bandwidth part、BWP）の参照点に対するオフセットとして提供される。
【００８９】
任意に、前述した態様のいずれかにおいて、態様の別の実施では、参照点はシステム情報を通じてシグナリングされる。
【００９０】
任意に、前述した態様のいずれかにおいて、態様の別の実施では、システム情報は残りの最小システム情報（remaining minimum system information、RMSI）を含む。
【００９１】
任意に、前述した態様のいずれかにおいて、態様の別の実施では、参照点は参照SSブロック内の事前定義されたサブキャリア、または事前定義された物理リソースブロック（PRB）を含む。
【００９２】
任意に、前述した態様のいずれかにおいて、態様の別の実施では、参照点は、SSブロックの残りの最小システム情報（remaining minimum system information、RMSI）を受信するための共通のリソース領域内に、事前定義されたサブキャリア、または事前定義された物理リソースブロック（PRB）を含む。
【００９３】
任意に、前述した態様のいずれかにおいて、態様の別の実施では、参照点は、参照SSブロックの外側に事前定義されたサブキャリア、または事前定義された物理リソースブロック（PRB）を含み、事前定義されたサブキャリアまたはPRBは、参照SSブロックの特定の部分に対して事前定義されたオフセットを有する。
【００９４】
任意に、前述した態様のいずれかにおいて、態様の別の実施では、本方法は、参照物理リソースブロック（PRB）のデフォルトのニューメロロジーを取得し、デフォルトのニューメロロジーに従って最初のPRBのニューメロロジーを決定するステップをさらに含む。
【００９５】
任意に、前述した態様のいずれかにおいて、態様の別の実施では、第1のニューメロロジーの周波数参照点は、事前定義された規則を使用して、デフォルトのニューメロロジーの周波数参照点に従って決定される。
【００９６】
任意に、前述した態様のいずれかにおいて、態様の別の実施は、サブキャリア間隔（SCS）がデフォルトのSCSよりも小さいニューメロロジーの事前定義された規則は、参照物理リソースブロック（PRB）を、デフォルトのニューメロロジーの参照PRBに含まれるPRB中の特定のPRBとして定義するものと規定する。
【００９７】
任意に、前述した態様のいずれかにおいて、態様の別の実施では、特定のPRBは、システム情報を通じて事前定義またはシグナリングされる。
【００９８】
任意に、前述した態様のいずれかにおいて、態様の別の実施は、n≧1のSCS 2−nf0の参照PRBは、デフォルトのSCS f0の参照PRBに含まれるPRB中の、kn番目のPRBを含むものと規定する。
【００９９】
任意に、前述した態様のいずれかにおいて、態様の別の実施では、knが1、2n、2n−1、2n−1＋1、およびmin（k，2n）のうちの1つである。
【０１００】
任意に、前述した態様のいずれかにおいて、態様の別の実施では、n≧1のSCS 2−nf0の参照PRBは、SCS 2−n＋1f0の参照PRBに含まれるPRBの中で、nが奇数であれば最後のPRBを含み、nが偶数であれば最初のPRBを含む。
【０１０１】
任意に、前述した態様のいずれかにおいて、態様の別の実施では、n≧1のSCS 2−nf0の参照PRBは、SCS 2−n＋1f0の参照PRBに含まれるPRBの中で、nが奇数であれば最初のPRBを含み、nが偶数であれば最後のPRBを含む。
【０１０２】
任意に、前述した態様のいずれかにおいて、態様の別の実施では、デフォルトのSCSの参照PRBからより大きいSCSのPRBグリッドおよび参照PRBを得るために、サブキャリア間隔（SCS）がデフォルトのSCSよりも大きいニューメロロジーの事前定義された規則が使用される。
【０１０３】
任意に、前述した態様のいずれかにおいて、態様の別の実施では、n≧1の任意のSCS 2nf0については、SCS 2nf0の参照PRBは、デフォルトのSCS f0の参照PRBと左揃えされる。
【０１０４】
任意に、前述した態様のいずれかにおいて、態様の別の実施では、n≧1の任意のSCS 2nf0については、SCS 2nf0の参照PRBは、デフォルトのSCS f0の参照PRBと右揃えされる。
【０１０５】
任意に、前述した態様のいずれかにおいて、態様の別の実施は、n≧1の任意のSCS 2nf0に対して、nが奇数であれば、SCS 2n−1f0の参照PRBはSCS 2nf0の参照PRBと右揃えされ、nが偶数であれば、SCS 2n−1f0の参照PRBはSCS 2nf0の参照PRBと左揃えされるものと規定する。
【０１０６】
任意に、前述した態様のいずれかにおいて、態様の別の実施では、n≧1の任意のSCS 2nf0については、nが奇数であればSCS 2n−1f0の参照PRBはSCS 2nf0の参照PRBと左揃えされ、nが偶数であればSCS 2n−1f0の参照PRBはSCS 2nf0の参照PRBと右揃えされる。
【０１０７】
任意に、前述した態様のいずれかにおいて、態様の別の実施では、周波数領域内で1つのSSブロックのみが対応するRMSIを有し、その唯一のSSブロックが参照SSブロックである。
【０１０８】
任意に、前述した態様のいずれかにおいて、態様の別の実施では、SSブロックのPBCHの1ビットが、SSブロックが参照SSブロックかどうかを示す。
【０１０９】
任意に、前述した態様のいずれかにおいて、態様の別の実施では、RMSIおよびそのCORESETに使用するために生成されたシーケンスの周波数位置インデックス化は、ユニキャストデータに使用するシーケンスの周波数位置インデックス化と同じである。
【０１１０】
図1は、本開示の実施形態を実施できる例示的な通信システム100を示す。一般に、通信システム100は、データその他のコンテンツの通信を行うために、複数の無線または有線の要素を使用可能である。通信システム100の目的は、ブロードキャスト、ナローキャスト、ユーザ機器からユーザ機器への通信などを介して、コンテンツ（音声、データ、動画、文字）を提供することであってもよい。通信システム100は、帯域幅などのリソースを共有することによって動作してもよい。
【０１１１】
この例では、通信システム100は、電子機器（ED）110a〜110c、無線アクセスネットワーク（RAN）120a〜120b、コアネットワーク130、公衆交換電話網（PSTN）140、インターネット150、その他のネットワーク160を含む。これらの構成要素または要素のいくつかが図1に示されているが、通信システム100には、任意の適切な数のこのような構成要素または要素が含まれていてもよい。
【０１１２】
ED110a〜110cは、通信システム100において、動作、通信、またはその両方を行うように構成される。例えば、ED110a〜110cは、無線または有線の通信チャネルを介して、送信、受信、またはその両方を行うように構成される。ED110a〜110cはそれぞれ、無線で動作する任意の適切なエンドユーザ機器を表し、ユーザ機器／装置（UE）、無線送信／受信ユニット（WTRU）、移動局、固定または移動加入者ユニット、携帯電話、ステーション（STA）、マシンタイプ通信（MTC）装置、携帯情報通信端末（PDA）、スマートフォン、ノートパソコン、コンピュータ、タブレット、無線センサ、または消費者電子機器などの装置を含んでもよい（またはこのような装置と呼ばれてもよい）。
【０１１３】
図1において、RAN120a〜120bは、それぞれ基地局170a〜170bを含む。各基地局170a〜170bは、任意の他の基地局170a〜170b、コアネットワーク130、PSTN140、インターネット150、および／または他のネットワーク160とアクセス可能なように、ED110a〜110cの1つ以上と無線によるインターフェースをとるように構成される。例えば、基地局170a〜170bは、基地局（BTS）、ノードB（NodeB）、進化型NodeB（eNodeB）、ホームeNodeB、gNodeB、送信ポイント（TP）、サイトコントローラ、アクセスポイント（AP）、または無線ルータなどの、いくつかのよく知られている装置の1つ以上を含んでもよい（またはこのような装置であってもよい）。ED110a〜110cは、これに代えて、またはこれに加えて、任意の他の基地局170a〜170b、インターネット150、コアネットワーク130、PSTN140、他のネットワーク160、あるいはこれらを任意に組み合わせたものとインターフェースをとる、アクセスする、または通信するように構成されてもよい。図示されているように、通信システム100はRAN120bなどのRANを含んでもよく、対応する基地局170bは、インターネット150を介してコアネットワーク130にアクセスする。
【０１１４】
ED110a〜110cおよび基地局170a〜170bは、本明細書で述べる機能および／または実施形態の一部またはすべてを実施するように構成できる通信機器の例である。図1に示す実施形態において、基地局170aはRAN120aの一部を形成し、他の基地局、（複数の）基地局コントローラ（BSC）、（複数の）無線ネットワークコントローラ（RNC）、中継ノード、部品、および／または装置を含んでもよい。任意の基地局170a、170bは、図示されているように単一の要素であってもよく、あるいはそうでない場合は、対応するRANに分配された複数の要素であってもよい。また、基地局170bはRAN120bの一部を形成し、他の基地局、部品、および／または装置を含んでもよい。各基地局170a〜170bは、「セル」または「カバレッジエリア」と呼ばれることもある特定の地理的な領域または区域で、無線信号を送信および／または受信する。セルは、さらにセルセクタに分割されてもよく、基地局170a〜170bは、例えば、複数のセクタにサービスを提供するために複数の送受信機を使用してもよい。いくつかの実施形態では、無線アクセス技術がサポートするピコセルまたはフェムトセルが確立されてもよい。いくつかの実施形態では、例えば、複数入力、複数出力（MIMO）の技術を使用して、各セルで複数の送受信機を使用することができる。図示されているRAN120a〜120bの数は、単なる例である。通信システム100を考案するときに、任意の数のRANが想定されてもよい。
【０１１５】
基地局170a〜170bは、無線周波数（RF）、マイクロ波、赤外線（IR）などの無線通信リンクを使用して、1つ以上のエアインターフェース190を介して1つ以上のED110a〜110cと通信する。エアインターフェース190は、任意の適切な無線アクセス技術を使用してもよい。例えば、通信システム100は、エアインターフェース190において、符号分割多重アクセス（CDMA）、時分割多重アクセス（TDMA）、周波数分割多重アクセス（FDMA）、直交FDMA（OFDMA）、またはシングルキャリアFDMA（SC−FDMA）などの1つ以上のチャネルアクセス方法を実施してもよい。
【０１１６】
基地局170a〜170bは、広帯域CDMA（WCDMA(登録商標)）を使用してエアインターフェース190を確立するために、ユニバーサル移動体通信システム（UMTS）地上無線アクセス（UTRA）を実施してもよい。その際に、基地局170a〜170bは、HSPA、任意でHSDPA、HSUPAまたはその両方を含むHSPA＋などのプロトコルを実施してもよい。あるいは、基地局170a〜170bは、LTE、LTE−A、および／またはLTE−Bを使用する進化型UTMS地上無線アクセス（E−UTRA）でエアインターフェース190を確立してもよい。通信システム100は、前述したような方式を含む、多重チャネルアクセス機能を使用し得ることが考えられる。エアインターフェースを実施するための他の無線技術には、IEEE 802．11、802．15、802．16、CDMA2000、CDMA2000 1X、CDMA2000 EV−DO、IS−2000、IS−95、IS−856、GSM(登録商標)、EDGE、およびGERANが含まれる。他の多重アクセス方式、および無線プロトコルが使用されてもよいことは言うまでもない。
【０１１７】
RAN120a〜120bは、ED110a〜110cに音声、データその他のサービスなどのさまざまなサービスを提供するために、コアネットワーク130と通信している。RAN120a〜120b、および／またはコアネットワーク130は、1つ以上の他のRAN（図示せず）と直接的または間接的に通信していてもよく、他のRANはコアネットワーク130によって直接提供されてもされなくてもよく、かつRAN120a、RAN120b、あるいはその両方と同じ無線アクセス技術を使用していてもしていなくてもよい、コアネットワーク130は、（i）RAN120a〜120bまたはED110a〜110c、あるいはその両方と、（ii）他のネットワーク（PSTN140、インターネット150その他のネットワーク160）との間のゲートウェイアクセスとして機能してもよい。また、ED110a〜110cの一部または全部が、別の無線技術および／またはプロトコルを使用する別の無線リンクを介して、別の無線ネットワークと通信するための機能を含んでいてもよい。無線通信の代わりに（またはこれに加えて）、EDは、有線通信チャネルを介してサービスプロバイダまたはスイッチ（図示せず）、およびインターネット150と通信してもよい。PSTN140は、基本電話サービス（POTS）を提供するための回線交換電話網を含んでもよい。インターネット150は、コンピュータおよびサブネット（イントラネット）またはその両方のネットワークを含んでもよく、かつIP、TCP、UDPなどのプロトコルを組み込んでもよい。ED110a〜110cは、複数の無線アクセス技術に従って動作することが可能なマルチモードデバイスであってもよく、これをサポートするのに必要な複数の送受信機を組み込んでもよい。
【０１１８】
図2Aおよび図2Bは、本開示による方法および教示を実施し得る、例示的な装置を示す。具体的には、図2Aは例示的なED110を示し、図2Bは例示的な基地局170を示す。これらの構成要素は、通信システム100、その他任意の適切なシステムに使用することができる。
【０１１９】
図2Aに示すように、ED110は、少なくとも1つの処理ユニット200を含む。処理ユニット200は、ED110のさまざまな処理動作を実施する。例えば、処理ユニット200は、信号符号化、データ処理、電力制御、入力／出力処理、その他通信システム100でED110が動作できるようにする、任意の機能を実行することができる。処理ユニット200は、前記でさらに詳しく説明した機能および／または実施形態の一部または全部を実施するように構成されてもよい。各処理ユニット200は、1つ以上の動作を実行するように構成された、任意の適切な処理装置またはコンピュータ装置を含む。各処理ユニット200は、例えば、マイクロプロセッサ、マイクロコントローラ、デジタル信号プロセッサ、フィールドプログラマブルゲートアレイ、または特定用途向け集積回路を含むことができる。
【０１２０】
ED110は、少なくとも1つの送受信機202をさらに含む。送受信機202は、少なくとも1つのアンテナまたはネットワークインターフェースコントローラ（NIC）204によって、送信するデータその他のコンテンツを変調するように構成される。また送受信機202は、少なくとも1つのアンテナ204で受信したデータその他のコンテンツを復調するように構成される。各送受信機202は、無線または有線伝送の信号を生成し、かつ／あるいは無線または有線で受信した信号を処理するための任意の適切な構造を含む。各アンテナ204は、無線または有線の信号を送信および／または受信するための任意の適切な構造を含む。ED110では、1つまたは複数の送受信機202を使用することができる。ED110では、1つまたは複数のアンテナ204を使用することができる。送受信機202は単一の機能ユニットとして示されているが、少なくとも1つの送信機と、少なくとも1つの別の受信機とを使用して実装することもできる。
【０１２１】
ED110は、1つ以上の入力／出力装置206、またはインターフェース（インターネット150に対する有線インターフェースなど）をさらに含む。入力／出力装置206は、ネットワーク内のユーザ機器その他の機器との相互作用を可能にする。入力／出力装置206はそれぞれ、ネットワークインターフェース通信を含む、スピーカ、マイク、キーパッド、キーボード、表示装置、またはタッチ画面などの、ユーザに情報を提供する、またはユーザから情報を受信するための任意の適切な構造を含む。
【０１２２】
また、ED110は、少なくとも1つのメモリ208を含む。メモリ208は、ED110によって使用、生成、または収集される命令およびデータを記憶する。例えば、メモリ208は、前述した機能および／または実施形態の一部または全部を実施するように構成されたソフトウェア命令またはモジュールを記憶でき、これらは（複数の）処理ユニット200によって実行される。各メモリ208は、任意の適切な揮発性および／または不揮発性の、（複数の）記憶装置および検索装置を含む。ランダムアクセスメモリ（RAM）、読み出し専用メモリ（ROM）、ハードディスク、光学ディスク、加入者識別モジュール（SIM）カード、メモリスティック、SDメモリカードなどの任意の適切な種類のメモリが使用されてもよい。
【０１２３】
図2Bに示すように、基地局170は、少なくとも1つの処理ユニット250、少なくとも1つの送信機252、少なくとも1つの受信機254、1つ以上のアンテナ256、少なくとも1つのメモリ258、および1つ以上の入力／出力装置またはインターフェース266を含む。図示されていない送受信機が、送信機252および受信機254の代わりに使用されてもよい。スケジューラ253が、処理ユニット250に結合されてもよい。スケジューラ253は、基地局170内に含まれてもよく、基地局170とは別に動作してもよい。処理ユニット250は、信号符号化、データ処理、電力制御、入力／出力処理、その他の任意の機能など、基地局170のさまざまな処理動作を実施する。処理ユニット250は、前記でさらに詳しく説明した機能および／または実施形態の一部または全部を実施するように構成され得る。各処理ユニット250は、1つ以上の動作を実行するように構成された、任意の適切な処理装置またはコンピュータ装置を含む。各処理ユニット250は、例えば、マイクロプロセッサ、マイクロコントローラ、デジタル信号プロセッサ、フィールドプログラマブルゲートアレイ、または特定用途向け集積回路を含むことができる。
【０１２４】
各送信機252は、1つ以上のEDその他の装置に対する無線または有線伝送の信号を生成するための任意の適切な構造を含む。各受信機254は、1つ以上のEDその他の装置から無線または有線で受信した信号を処理するための任意の適切な構造を含む。少なくとも1つの送信機252、および少なくとも1つの受信機254は別の構成部品として示されているが、結合して送受信機とすることができる。各アンテナ256は、無線または有線の信号を送信および／または受信するための任意の適切な構造を含む。ここでは、送信機252および受信機254の両方に結合されるものとして共通のアンテナ256が示されているが、（複数の）送信機252に1つ以上のアンテナ256を結合でき、1つ以上の別のアンテナ256を（複数の）受信機254に結合することができる。各メモリ258は、ED110との関係で前述したような、任意の適切な揮発性および／または不揮発性の、（複数の）記憶装置および検索装置を含む。メモリ258は、基地局170によって使用、生成、または収集される命令およびデータを記憶する。例えば、メモリ258は、前述した機能および／または実施形態の一部または全部を実施するように構成されたソフトウェア命令またはモジュールを記憶することができ、これらは（複数の）処理ユニット250によって実行される。
【０１２５】
各入力／出力装置266は、ネットワーク内のユーザ機器その他の機器との相互作用を可能にする。入力／出力装置266はそれぞれ、ネットワークインターフェース通信を含む、ユーザに情報を提供する、またはユーザから情報を受信／提供するための任意の適切な構造を含む。
【０１２６】
異なるニューメロロジーの使用に柔軟に対応できるフレーム構造が提案されている。ニューメロロジーは、エアインターフェースの一連の物理層パラメータと定義され、特定の信号を伝達するために使用される。ニューメロロジーは、少なくともサブキャリア間隔およびOFDMシンボル長という用語で説明され、高速フーリエ変換（FFT）／逆FFT（IFFT）長、送信タイムスロット長、およびサイクリックプレフィックス（CP）長または期間などの他のパラメータで定義されてもよい。いくつかの実施では、ニューメロロジーの定義は、信号を伝達するのにいくつかの候補波形のうちのどれが使用されるかということを含んでもよい。考えられる波形候補は、これに限定されないが、直交周波数分割多重化（OFDM）、濾波OFDM（f−OFDM）、フィルタバンクマルチキャリア（FBMC）、ユニバーサル濾波マルチキャリア（UFMC）、一般化周波数分割多重化（GFDM）、シングルキャリア周波数分割多重アクセス（SC−FDMA）、低密度シグネチャマルチキャリア符号分割多重アクセス（LDS−MC−CDMA）、ウェーブレットパケット変調（WPM）、FTN（Faster Than Nyquist）波形、低ピーク対平均電力比波形（低PAPR WF）、パターン分割多重アクセス（PDMA）、格子分割多重アクセス（LPMA）、リソース拡散多重アクセス（RSMA）、スパースコード多重アクセス（SCMA）から選択された、1つ以上の直交波形または非直交波形を含んでもよい。
【０１２７】
このようなニューメロロジーは、異なるニューメロロジーのサブキャリア間隔が互いに倍数になり、異なるニューメロロジーのタイムスロット長もまた互いに倍数になるという点でスケーラブルになり得る。複数のニューメロロジーにわたるこのようなスケーラブルな設計は、時分割複信（TDD）のコンテキストにおけるOFDMシンボル長の合計がスケーラブルになるなどの実施上の利点をもたらす。
【０１２８】
下記の表1は、「フレーム構造」の下にある4つの列に、いくつかの例示的なニューメロロジーに関連するパラメータを示す。フレームは、4つのスケーラブルなニューメロロジーのうちの1つ、またはこれらの組み合わせを使用して構成することができる。比較のために、表の右側の列には、従来の固定的なLTEニューメロロジーが示されている。1列目はサブキャリア間隔が60kHzのニューメロロジーであり、最短のOFDMシンボル長をさらに有し、これはOFDMシンボル長はサブキャリア間隔に反比例するためである。これは、V2X（Vehicle−to−Any）通信などの超低レイテンシ通信に適している場合がある。2列目は、サブキャリア間隔が30kHzのニューメロロジーである。3列目は、サブキャリア間隔が15kHzのニューメロロジーである。このニューメロロジーは、タイムスロット内にシンボルが7つしかないこと以外は、LTEと同じ構成を有する。これは、ブロードバンドサービスに適している場合がある。4列目は間隔が7．5kHzのニューメロロジーであり、4つのニューメロロジーの中で最長のOFDMシンボル長をさらに有する。これは、カバレッジ拡張およびブロードキャストに有用な場合がある。このようなニューメロロジーの別の使用法は、当業者には明らかであり、または明らかとなるであろう。表にある4つのニューメロロジーのうち、サブキャリア間隔が30kHzおよび60kHzのニューメロロジーは、サブキャリア間隔が広いためドップラー拡散（高速移動状態）に対してロバスト性が高い。さらに考えられるのは、異なるニューメロロジーでは、サブキャリア間隔が同じでサイクリックプレフィックス長が異なるなど、他の物理層パラメータに異なる値を使用してもよいことである。
【０１２９】
また、サブキャリア間隔をより大きくしたりより小さくしたりするなど、他のサブキャリア間隔が使用されてもよいことが考えられる。前述の例で示されているように、各ニューメロロジー（7．5kHz、15kHz、30kHz、60kHz）のサブキャリア間隔は、最小のサブキャリア間隔の2n倍にすることができ、ここでnは整数である。これに加えて、またはこれに代えて、やはり2n倍になる、120kHzなどのより大きいサブキャリア間隔が使用されてもよい。これに加えて、またはこれに代えて、やはり2n倍になる、3．75kHzなどのより小さいサブキャリア間隔が使用されてもよい。ニューメロロジーのシンボル長もまた、2n倍とされ得る。このように関連付けられる2つ以上のニューメロロジーは、スケーラブルなニューメロロジーと呼ばれることがある。
【０１３０】
他の例では、必ずしも2nを係数とすることなく、2つ以上のニューメロロジーがすべて、最小サブキャリア間隔の整数倍のサブキャリア間隔を有する、より限定的なスケーラビリティが実施されてもよい。例として、15kHz、30kHz、45kHz、60kHz、120kHzのサブキャリア間隔が含まれる。
【０１３１】
さらに別の例では、スケーラブルでないサブキャリア間隔が使用されてもよく、これらはすべて、15kHz、20kHz、30kHz、60kHzなど、最小サブキャリア間隔の整数倍ではない。
【０１３２】
表1で、各ニューメロロジーは、1番目の数のOFDMシンボルに対して第1のサイクリックプレフィックス長を使用し、2番目の数のOFDMシンボルに対して第2のサイクリックプレフィックス長を使用する。例えば、「フレーム構造」の下の第1の列では、タイムスロットはサイクリックプレフィックス長が1．04μsの3つのシンボルを含み、その後にサイクリックプレフィックス長が1．3μsの4つのシンボルを含んでいる。
【０１３３】
【表１】
2020523900.tif 000003
【０１３４】
表2は、同じサブキャリア間隔を有する異なるニューメロロジーに異なるサイクリックプレフィックス長を使用することができる、例示的なニューメロロジーのセットを示す。
【０１３５】
【表２】
2020523900.tif 000004
【０１３６】
表1および表2の特定のニューメロロジーの例は、例示するためのものであって、代わりに他のニューメロロジーを組み合わせた柔軟なフレーム構造を使用できることを理解されたい。
【０１３７】
複数のニューメロロジーが同時に共存する信号を送信するために、OFDMに基づく信号を使用することができる。より詳細には、複数のサブバンドOFDM信号を平行して生成でき、それぞれが異なるサブバンド内にあり、各サブバンドが異なるサブキャリア間隔を有する（より一般的には、ニューメロロジーが異なる）。複数のサブバンド信号が、下りリンク伝送用など、伝送用の1つの信号に結合される。あるいは、複数のサブバンド信号は、例えば、複数の電子機器（ED）からの上りリンク伝送のために別の送信機から送信されてもよく、電子機器（ED）はユーザ機器（UE）であってもよい。特定の例では、各サブバンドOFDM信号の周波数スペクトルを形成するためにフィルタリングを使用することによって濾波OFDM（f−OFDM）を利用でき、これによって周波数局在波形を生成し、その後、送信用にサブバンドOFDM信号を結合する。f−OFDMは、帯域外発射を低減して伝送を向上させ、異なるサブキャリア間隔を使用した結果導入される非直交性に対処する。あるいは、W−OFDM（windowed OFDM）などの周波数局在波形を実現するために、別の手法を使用することができる。
【０１３８】
異なるニューメロロジーを使用することによって、さまざまなレベルのレイテンシまたは信頼性許容度、ならびに異なる帯域幅またはシグナリングオーバーヘッド要件などの、広範囲なサービス品質（QoS）要件を有する、さまざまなユースケースを共存させることができる。一例では、基地局は、選択したニューメロロジーを表すインデックス、または選択したニューメロロジーの1つのパラメータ（サブキャリア間隔など）をEDにシグナリングすることができる。シグナリングは、例えば、物理下りリンク制御チャネル（PDCCH）または下りリンク制御情報（DCI）などの制御チャネルで、動的または準静的な方法で行うことができる。このシグナリングに基づいて、EDは、メモリに記憶されている候補ニューメロロジーのルックアップ表などの、他の情報から選択したニューメロロジーのパラメータを決定してもよい。
【０１３９】
図3は、WCC302の実施形態の図である。WCC302は、複数の通常コンポーネントキャリア（NCC）304を含む。各NCC304は、それぞれが特定の帯域幅を有する複数のサブキャリアを含む。WCC302は、複数のSSブロック308をさらに含む。WCC302は、参照点306をさらに含む。参照点306は、周波数位置インデックス化に使用される。実施形態では、参照点306は、参照SSブロックの位置に対する事前定義された参照点である。例えば、参照点306は、参照SSブロック308の始点からの距離がΔ0であり、第2の参照SSブロック308の始点からの距離がΔ1であり、第3の参照SSブロック308からの距離がΔ2である。距離は、参照点306と、特定の参照SSブロック308との間のサブキャリアの数で測定されてもよく、または参照点306と、特定の参照SSブロック308との間の物理リソースブロック（PRB）の数で測定されてもよく、あるいは周波数の相違で測定されてもよい。また、他の距離測定方法が使用されてもよい。
【０１４０】
実施形態では、RMSIおよびユニキャストデータの両方に対して、RSシーケンス生成用の同じ周波数位置インデックス化が使用される。RSシーケンス生成用の参照点は、RMSIを復号する前にUEによって取得される。参照点は、RMSIおよびNR−PDSCHなどのすべてのユニキャストデータの両方のRSシーケンスを生成するのに使用される。一実施形態では、RMSIおよびそのCORESET用に、ならびにユニキャストデータ用に、同種のシーケンス生成が使用される。一実施形態では、広帯域CCの下りリンクDCサブキャリアが参照点とみなされる。別の実施形態では、SSブロックが参照SSブロックとみなされ、これに対して参照点が取得される。
【０１４１】
広帯域CCの下りリンクDCサブキャリアが参照点とみなされる実施形態では、各SSブロックのPBCHでDC位置がシグナリングされる。DCの位置は、SSブロックの事前定義された点、または共通BWPの事前定義された点に対するオフセットとして表される。
【０１４２】
SSブロックが参照SSブロックとみなされる実施形態では、一実施形態において、周波数内の1つのSSブロックのみが対応するRMSIを有する。このSSブロックが参照SSブロックであり、このSSブロックに対する事前定義された点が参照点とみなされる。広帯域CCの周波数内に複数のSSブロックがある場合は、そのうちの1つのみが対応するRMSIを有する。広帯域CC内のすべてのUEは、参照点を取得できるようにこのSSブロックを検知する必要がある。このSSブロックの表示は、PBCHを通じて、SSブロックに対応するRMSIがあるかどうかを示して行うことができる。そのPBCHの表示により対応するRMSIを有するSSブロックは、UEによって参照SSブロックとみなされる。第2の実施形態では、PBCHの1ビットが、SSブロックを参照SSブロックとみなせるかどうかを示す。SSブロックが参照SSブロックとして表示されると、このSSブロックに対する事前定義された点が参照点とみなされる。
【０１４３】
別の実施形態では、RMSI（およびそのCORESET）ならびにユニキャストデータに対して、シーケンス生成用の別の周波数位置インデックス化が使用される。UEは、参照点を取得できるように、第1の復号RMSIを必要とする。RMSIの制御リソースセット（CORESET）、およびRMSIのNR−PDSCHには特定のRSが使用される。参照点を取得した後に、UEは、NR−PDSCHなどのすべてのユニキャストデータに対するRSシーケンスを生成するためにそれを使用する。一実施形態では、参照点306は、広帯域CCの下りリンク（DL）DCサブキャリアの位置として識別される。第2の実施形態では、SSブロックが参照SSブロックとみなされ、これに対して参照点が取得される。第3の実施形態では、参照点306は、残りの最小システム情報（remaining minimum system information、RMSI）などのシステム情報を介してUEにシグナリングされる。
【０１４４】
図4は、周波数領域における物理リソースブロック（PRB）のシステム400の実施形態の図である。システム400は、参照SSブロック402を含む。参照SSブロック402は、複数のPRBを含む。図示されている例では、SSブロック402は、PRB＃−1と、参照PRB404と、PRB＃1と、PRB＃2とを含む。実施形態では、参照点は、参照SSブロック402の周波数位置に対する事前定義された参照点である。WCC内で1つのSSブロックのみが伝送される場合、参照点は、参照SSブロック402内のPRBの1つ（すなわち参照PRB404）と定義することができる。他のすべてのPRBは、参照PRB404からの距離に基づいて、参照PRB404よりも低い周波数を有するPRBは−1、−2など、参照PRBよりも高い周波数を有するPRBは1、2などとしてインデックス化されてもよい。1、−1、2、−2などの数は、PRBが、参照PRB404の後の1番目のPRB（すなわちPRB＃1）であること、参照PRB404の前の1番目のPRB（すなわちPRB＃−1）であること、参照PRB404の後の2番目のPRB（すなわちPRB＃2）であること、参照PRB404の前の2番目のPRB（すなわちPRB＃−2）であることなどを示す。
【０１４５】
SSブロックが参照SSブロックとみなされる場合は、参照点を参照SSブロックに対する特定の点として識別するために、以下の選択肢が使用されてもよい。参照点は、例えば、次のうちの1つであってもよい。1）参照SSブロックの開始サブキャリアまたはPRB。2）参照SSブロックの最終サブキャリアまたはPRB。3）中間サブキャリアまたは中間PRGB、あるいは参照SSブロックの中心周波数。4）参照SSブロック内の特定の事前定義されたサブキャリアまたはPRB。5）参照SSブロックの受信RMSI用の共通リソース領域（共通帯域幅部分または共通BWPと呼ばれる場合がある）内の特定の事前定義されたサブキャリアまたはPRB。6）参照SSブロックの始点、終点、中間点その他任意の参照点に対する知られているオフセットを有する、参照SSブロックの外側にある、特定の事前定義されたサブキャリアまたはPRB。
【０１４６】
図5から図10は、参照点を参照SSブロックに対する特定の点として識別するための選択肢500、600、700、800、900、1000をそれぞれ示すブロック図である。図5の選択肢I 500では、参照点506は、共通BWP502内の参照SSブロック504の最初のPRBである。図6の選択肢II 600では、参照点606は、共通BWP602内の参照SSブロック604の最後のPRBである。図7の選択肢III 700では、参照点706は、共通BWP702内の参照SSブロック704の中間のSS PRBのうちの1つである。図8の選択肢IV 800では、参照点806は、共通BWP802の参照SSブロック804内の特定のPRBである。図9の選択肢V 900では、参照点906は、参照SSブロック904の外側にあるが、共通BWP902内にある特定のPRBである。図10の選択肢VI 1000では、参照点1006は、参照SSブロック1004からも共通BWP1002からも外側にある特定のPRBである。
【０１４７】
実施形態では、任意のPRBの周波数インデックスは、参照点までのその距離によって（PRBの数で）決定される。
【０１４８】
WCCが1つのSSブロックを含む実施形態では、WCC内の1つのSSブロックが参照SSブロックである。
【０１４９】
WCCが複数のSSブロックを含む場合は、SSブロック間の相対距離が固定される、またはシグナリングされてもよい。SSブロックの相対周波数距離が固定され事前定義される場合は、距離は固定で均一、または固定で不均一であってもよい。
【０１５０】
図11は、WCC内の連続するSSブロック1104、1106、1108間の距離が固定で均一であることを示す、周波数領域内のサブキャリアのシステム1100の実施形態の図である。システム1100は、3つのSSブロック1104、1106、1108を有するWCC1102を含む。連続するSSブロック1104、1106、1108の対同士の間の距離Δfは、すべての連続するSSブロック1104、1106、1108の対（例えば、SSブロック1104とSSブロック1106との間、またはSSブロック1106とSSブロック1108との間）について同じになる。
【０１５１】
図12は、WCC内の連続するSSブロック1204、1206、1208間の距離が固定で均一であることを示す、周波数領域内のサブキャリアのシステム1200の実施形態の図である。第1の連続するSSブロック1204、1206の対同士の間（すなわちSSブロック1204とSSブロック1206との間）の距離Δf1は、第2の連続するSSブロック1206、1208の対同士の間（すなわちSSブロック1206とSSブロック1208との間）の距離Δf2とは異なっている。
【０１５２】
SSブロックの相対周波数距離が、RMSIなどのシステム情報でシグナリングされる場合、相対周波数距離は、図11および図12に示すように、連続するSSブロック同士の間で、やはり均一または不均一のいずれかにすることができる。
【０１５３】
実施形態では、各SSブロックの周波数インデックス（すなわち図11および図12のSSブロック＃i）は、その対応するPBCH、RMSIその他のシステム情報でシグナリングされる。
【０１５４】
実施形態では、すべてのUE（タイプAおよびタイプBの両方）が、以下のように同じ周波数位置インデックスを取得する。最初に、検知されたSSブロックが参照SSブロックとみなされる。1つ以上のSSブロックが検知された場合、そのいずれかを参照SSブロックとみなすことができる。SSブロック＃iが参照SSブロックとみなされると仮定する。PRBの周波数位置インデックスは、SSブロック間の距離が均一かそれとも不均一かに応じて、以下の方法の1つに基づいて決定することができる。SSブロック間の距離が均一であれば、PRBの周波数位置インデックスnは、n＝（SSブロック＃iの参照点までのPRBの距離）＋i×Δfによって決定される。SSブロック間の距離が不均一であれば、PRBの周波数位置インデックスnは、n＝（SSブロック＃iの参照点までのPRBの距離）＋Δf1＋．．．＋Δf1によって決定される。したがって、周波数位置インデックスの値nは、参照SSブロックとは無関係である。
【０１５５】
別の実施形態では、均一なSSブロック間距離に対する周波数位置インデックス化の参照点は、参照点＝（SSブロック＃iの参照点）−i×Δfで定義することができる。不均一なSSブロック間の距離に対する周波数位置インデックス化の参照点は、参照点＝（SSブロック＃iの参照点）−（Δf1＋．．．＋Δf1）で定義することができる。次に、いずれの場合も、PRBの周波数位置インデックスnは、PRBから参照点までの距離である。
【０１５６】
別の実施形態では、WCC内の複数のSSブロックの1つは、参照SSブロック、例えば、SSブロック＃jとして事前定義される。各UEが、SSブロックの1つ、例えば、SSブロック＃iを検知し、その対応するPBCH、RMSIその他のシステム情報からiの値を取得して、RMSIなどのシステム情報を介してSSブロックの相対周波数距離を取得すれば、参照SSブロック、すなわちSSブロック＃jの位置を見つけることができる。その後、事前定義されたオフセットおよび参照SSブロックの位置を使用して、参照点の位置を決定することができる。
【０１５７】
別の実施形態では、参照点がWCCのDL DCサブキャリアの位置として識別され、UEに対する参照点の識別にいくつかの異なる方法が使用されてもよい。
【０１５８】
一実施形態では、DC情報の一部は、例えば、PBCH内のUEに対してシグナリングされる。DCは、共通BWPに存在してもしなくてもよい。DCが共通BWPに存在する場合、参照点は共通BWPに対するDCの事前定義された位置として識別される。DCが共通BWPに存在しない場合は、システム情報シグナリング（RMSIなど）がDCの位置を示す。DCが共通BWPに存在しないこの事例では、DCの位置は、SSブロックの参照点に対するオフセットとして、または共通BWPの参照点として表示されてもよい。実施形態では、RMSIおよびそのCORESETに使用するために生成されたシーケンスの周波数位置インデックス化は、ユニキャストデータに使用されるシーケンスの周波数位置インデックス化とは異なり、RMSIおよびそのCORESETには特定のRSが使用される。
【０１５９】
第2の実施形態では、参照点がWCCのDL DCサブキャリアの位置として識別され、DC位置は、RMSIなどのシステム情報を介してシグナリングされる。参照SSブロックの位置に対して参照点をシグナリングする場合と同様に、SSブロック内の特定の事前定義されたサブキャリアまたはPRB、参照SSブロックの共通BWP、あるいは参照SSブロックの始点、終点、中間点その他任意の参照点に対する知られているオフセットを有する参照SSブロックの外側の、特定の事前定義されたサブキャリアまたはPRBがUEにシグナリングされてもよいが、事前定義されるのではなくRMSIなどのシステム情報を介してシグナリングされる。実施形態では、RMSIその他のシステム情報に使用するために生成されたシーケンスの周波数位置インデックス化は、これらのCORESETが、ユニキャストデータに使用されるシーケンスの周波数位置インデックス化とは異なるので、RMSIその他のシステム情報、およびそのCORESETには特定のRSが使用される。
【０１６０】
本開示の実施形態では、周波数位置インデックス化に単一の周波数参照点を使用することにより、広帯域コンポーネントキャリア内のあらゆる種類のUE（例えば、タイプA帯域内キャリアアグリゲーション（CA）モード、およびタイプB単一広帯域モード）が、参照信号をより効率的に生成できるようにする。
【０１６１】
さらに有益な態様では、WCC内の周波数位置インデックスの決定に使用するためにUEの参照点を決定する開示されている方法は、混合ニューメロロジーを使用するシステムにも適用可能である。このような事例では、SSブロックはデフォルトの
ニューメロロジーを使用する。SSブロックを検知した後に、デフォルトのニューメロロジーのPRBグリッドがUEによって取得される。入れ子構造を使用する実施形態では、サブキャリア間隔（SCS）がデフォルトのSCSよりも小さい全ニューメロロジーのPRBグリッドが、デフォルトのニューメロロジーのPRBグリッドから得られる。デフォルトのニューメロロジーの参照PRBは、デフォルトのニューメロロジーの参照点を含むPRBである。デフォルトのニューメロロジーの参照PRBが、（前述した任意の例示的な方法などを使用して）UEに知られると、他の任意のニューメロロジーの参照PRBを取得するために、デフォルトのニューメロロジーの参照PRBが使用される。
【０１６２】
本開示の実施形態によれば、RSシーケンス生成のための周波数位置インデックス化は、サブキャリア間隔（すなわちニューメロロジー）に固有であってもよい。後述する特定の実施形態では、各サブキャリア間隔またはニューメロロジーの周波数位置インデックス化の参照点は、事前定義された規則に基づいて、デフォルトのサブキャリア間隔の参照点から取得される。異なるサブキャリア間隔固有の周波数位置インデックス化を提供するための事前定義された規則の例は、図13から図19を参照して後述される。
【０１６３】
デフォルトのSCSよりも小さいSCSを有する任意のニューメロロジーについては、参照PRBは、デフォルトのニューメロロジーの参照PRBに含まれているPRB中の特定のPRBである。「特定のPRB」は、RMSIその他のシステム情報を通じて事前定義またはシグナリングすることができる。
【０１６４】
n≧1のSCS 2−nf0の参照PRBの代替となるものがいくつか後述され、ここでf0はデフォルトのSCSである。
【０１６５】
代替A）では、PRB中のkn番目のPRBが、SCS f0の参照PRBに含まれる。knの例は、kn＝1（最初のPRB）、kn＝2n（最後のPRB）、kn＝2n−1、kn＝2n−1＋1、kn＝min（k，2n）であり、kは本明細書でシステム用に定義される。
【０１６６】
代替B）では、PRB中の最後のPRB（nが奇数の場合）、および最初のPRB（nが偶数の場合）が、SCS2−n＋1f0の参照PRBに含まれる。
【０１６７】
代替C）では、PRB中の最初のPRB（nが奇数の場合）、および最後のPRB（nが偶数の場合）が、SCS2−n＋1f0の参照PRBに含まれる。
【０１６８】
実施形態では、デフォルトのSCSよりも大きいSCSを有するニューメロロジーのPRBグリッドを決定するために、2つの代替がある。
【０１６９】
代替i）では、ニューメロロジーのPRBグリッドは、（事前定義された規則によって、またはシグナリングを通じてのいずれかによって）UEにすでに知られている。デフォルトのSCSよりも大きいSCSを有するニューメロロジーの参照PRBは、デフォルトのニューメロロジーの参照PRBを含むPRBである。
【０１７０】
代替ii）では、デフォルトのニューメロロジーの参照PRBは、デフォルトのSCSよりも大きいSCSを有するニューメロロジーのPRBグリッドおよび参照PRBの両方を決定する。この場合、デフォルトのSCSの参照PRBよりも大きいSCSのPRBグリッドおよび参照PRBを得るために、事前定義された規則が使用される。実施形態では、代替ii）には4つの異なる選択肢がある。
【０１７１】
代替選択肢（ii）−1では、n≧1の任意のSCS 2nf0については、SCS 2nf0の参照PRBは、SCS f0の参照PRBと左揃えされる。本明細書で使用されているように、「右」はより高い周波数を指し、「左」はより低い周波数を指す。したがって、2つの参照PRBが「左揃え」されると、各参照PRBの最低周波数が揃えられる。同様に、2つの参照PRBが「右揃え」されると、各参照PRBの最高周波数が揃えられる。
【０１７２】
図13は、SCS 0．5f0についてはkn＝1の代替A、SCS 2f0および4f0については代替選択肢（ii）−1に従って、複数の異なるニューメロロジーの参照PRBの位置を示す図である。デフォルトのニューメロロジーのSCSよりも大きいSCSを有するニューメロロジーの参照PRB1302、1304、およびデフォルトのニューメロロジーのSCSよりも小さいSCSを有するニューメロロジーの参照PRB1308は、デフォルトのニューメロロジーの参照PRB1306と左揃えされる。したがって、参照PRB1302、1304、1306、1308は左揃えされ、各参照PRB1302、1304、1306、1308の最低周波数が揃えられる。
【０１７３】
代替選択肢（ii）−2では、n≧1の任意のSCS 2nf0については、SCS 2nf0の参照PRBは、SCS f0の参照PRBと右揃えされる。
【０１７４】
図14は、SCS 0．5f0についてはkn＝2nの代替A、SCS 2f0および4f0については代替選択肢（ii）−2に従って、複数の異なるニューメロロジーの参照PRBの位置を示す図である。デフォルトのニューメロロジーのSCSよりも大きいSCSを有するニューメロロジーの参照PRB1402、1404、およびデフォルトのニューメロロジーのSCSよりも小さいSCSを有するニューメロロジーの参照PRB1408は、デフォルトのニューメロロジーの参照PRB1406と右揃えされる。したがって、異なるニューメロロジーの参照PRBが、デフォルトのニューメロロジーの参照PRBと右揃えされる場合は、図14に示すように、各参照PRBの最高周波数が、デフォルトのニューメロロジーの参照PRB1406の最高周波数に揃えられる。したがって、参照PRB1402、1404、1406、1408は右揃えされる。
【０１７５】
代替選択肢（ii）−3では、n≧1の任意のSCS 2nf0については、nが奇数であれば、2n−1f0の参照PRBはSCS 2nf0の参照PRBと右揃えされる。nが偶数であれば、2n−1f0の参照PRBは、SCS 2nf0の参照PRBと左揃えされる。
【０１７６】
代替選択肢（ii）−4では、n≧1の任意のSCS 2nf0については、nが奇数であれば、2n−1f0の参照PRBはSCS 2nf0の参照PRBと左揃えされる。nが偶数であれば、2n−1f0の参照PRBは、SCS 2nf0の参照PRBと右揃えされる。
【０１７７】
図15は、SCS 0．5f0についてはkn＝2nの代替A、SCS 2f0および4f0については代替選択肢（ii）−4に従って、複数の異なるニューメロロジーの参照PRBの位置を示す図である。SCS 2f0の参照PRB1504は、デフォルトのニューメロロジーの参照PRB1506と左揃えされる。SCS 4f0の参照PRB1502は、SCS 2f0の参照PRB1504と右揃えされる。SCS 0．5f0の参照PRB1508は、デフォルトのニューメロロジーの参照PRB1506と右揃えされる。
【０１７８】
図16は、SCS 0．5f0についてはkn＝1の代替A、SCS 2f0および4f0については代替選択肢（ii）−2に従って、複数の異なるニューメロロジーの参照PRBの位置を示す図である。SCS 2f0の参照PRB1604は、デフォルトのニューメロロジーの参照PRB1606と右揃えされる。SCS 4f0の参照PRB1602は、SCS 2f0の参照PRB1604と右揃えされる。SCS 0．5f0の参照PRB1608は、デフォルトのニューメロロジーの参照PRB1606と左揃えされる。
【０１７９】
図17は、SCS 0．5f0についてはkn＝1の代替A、SCS 2f0および4f0については代替選択肢（ii）−3に従って、複数の異なるニューメロロジーに対する参照PRBの位置を示す図である。SCS 2f0の参照PRB1704は、デフォルトのニューメロロジーの参照PRB1706と右揃えされる。SCS 4f0の参照PRB1702は、SCS 2f0の参照PRB1704と左揃えされる。SCS 0．5f0の参照PRB1708は、デフォルトのニューメロロジーの参照PRB1706と左揃えされる。
【０１８０】
前述の例では、任意のニューメロロジーの参照PRBの周波数範囲は、より小さいサブキャリア間隔（SCS）を有する各ニューメロロジーの、参照PRBの周波数範囲のスーパーセットである。
【０１８１】
図18は、混合ニューメロロジーの参照PRBの例を示す図表1800である。
【０１８２】
図19は、周波数領域で多重化された混合ニューメロロジー（FDMed混合ニューメロロジー）の場合の、例示的な周波数位置インデックス化の図表1900である。
【０１８３】
図20は、広帯域CCの周波数位置インデックスを決定する方法2100の実施形態のフローチャートである。方法2000はブロック2002から始まり、ここでUEはUE独立型周波数参照点を取得する。UEは、前記で検討し説明された任意の方法などを使用して、UE独立型周波数参照点を取得してもよい。ブロック2004において、UEは、UE独立型周波数参照点に従って、UE固有PRBのための、周波数位置のUE独立型周波数位置インデックス、参照信号、その他UE固有の信号などを決定する。
【０１８４】
本明細書で提供される実施形態の方法の1つ以上のステップが、図21による対応するユニットまたはモジュールによって実行されてもよいことを理解されたい。例えば、信号は、送信ユニットまたは送信モジュールによって送信されてもよい。信号は、受信ユニットまたは受信モジュールによって受信されてもよい。信号は、処理ユニットまたは処理モジュールによって処理されてもよい。UE独立型周波数参照点取得モジュール、およびUE周波数位置インデックス決定モジュールによって、他のステップが実行されてもよい。それぞれのユニット／モジュールは、ハードウェア、ソフトウェア、またはこれらの組み合わせであってもよい。例えば、ユニット／モジュールの1つ以上が、フィールドプログラマブルゲートアレイ（FPGA）または特定用途向け集積回路（ASIC）などの集積回路であってもよい。モジュールがソフトウェアの場合、必要に応じて全体的にまたは部分的に、処理するために個別にまたは一緒に、必要に応じて単一または複数インスタンスで、プロセッサによって取得されてもよいこと、ならびにモジュール自体が、さらに配備し具体化するための命令を含んでもよいことが理解されよう。
【０１８５】
ED110および基地局170に関するさらなる詳細は、当業者には知られている。したがって明解にするため、このような詳細についてはここでは省略する。
【０１８６】
本開示においていくつかの実施形態が提供されているが、開示されているシステムおよび方法は、本開示の精神または範囲から逸脱することなく、その他多くの特定の形態で具体化されてもよいことを理解されたい。本例は、例示的であって限定的ではないとみなされるべきであり、その意図は、本明細書に示されている詳細に限定することではない。例えば、さまざまな要素または構成部品が、別のシステムと組み合わせられるか、またはこれと一体化されてもよく、あるいはいくつかの特徴は、省略されるかまたは実装されなくてもよい。
【０１８７】
また、個別または別のものとして、さまざまな実施形態において説明され図示される技術、システム、サブシステム、および方法は、本開示の範囲から逸脱することなく、他のシステム、モジュール、技術、または方法と組み合わせられるかまたはこれと一体化されてもよい。互いに結合または直接結合され、あるいは互いに通信するものとして図示され説明される他の品目は、いくつかのインターフェース、装置、または中間部品に、あるいはこれらを通じて、電気的に、機械的に、または別の方法で間接的に結合または通信してもよい。他の変更、置換、および代替の例は、当業者によって確認可能であり、本明細書で開示される精神および範囲から逸脱することなく作成され得る。
【符号の説明】
【０１８８】
100  通信システム
110  電子機器（ED）
110a  電子機器（ED）
110b  電子機器（ED）
110c  電子機器（ED）
120a  無線アクセスネットワーク（RAN）
120b  無線アクセスネットワーク（RAN）
130  コアネットワーク
140  PSTN
150  インターネット
160  他のネットワーク
170  基地局
170a  基地局
170b  基地局
190  エアインターフェース
200  処理ユニット
202  送受信機
204  アンテナ
206  入力／出力装置
208  メモリ
250  処理ユニット
252  送信機
253  スケジューラ
254  受信機
256  アンテナ
258  メモリ
266  入力／出力装置、インターフェース
302  WCC
304  NCC
306  参照点
308  参照SSブロック
400  システム
402  参照SSブロック
404  参照PRB
500  選択肢I
502  共通BWP
504  参照SSブロック
506  参照点
600  選択肢II
602  共通BWP
604  参照SSブロック
606  参照点
700  選択肢III
702  共通BWP
704  参照SSブロック
706  参照点
800  選択肢IV
802  共通BWP
804  参照SSブロック
806  参照点
900  選択肢V
902  共通BWP
904  参照SSブロック
906  参照点
1000  選択肢VI
1002  共通BWP
1004  参照SSブロック
1006  参照点
1100  システム
1102  WCC
1104  SSブロック
1106  SSブロック
1108  SSブロック
1200  システム
1204  SSブロック
1206  SSブロック
1208  SSブロック
1302  参照PRB
1304  参照PRB
1306  参照PRB
1308  参照PRB
1402  参照PRB
1404  参照PRB
1406  参照PRB
1408  参照PRB
1502  参照PRB
1504  参照PRB
1506  参照PRB
1508  参照PRB
1602  参照PRB
1604  参照PRB
1606  参照PRB
1608  参照PRB
1702  参照PRB
1704  参照PRB
1706  参照PRB
1708  参照PRB
1800  図表
1900  図表
2000  方法
【図１】
2020523900.tif 000005
【図２Ａ】
2020523900.tif 000006
【図２Ｂ】
2020523900.tif 000007
【図３】
2020523900.tif 000008
【図４】
2020523900.tif 000009
【図５】
2020523900.tif 000010
【図６】
2020523900.tif 000011
【図７】
2020523900.tif 000012
【図８】
2020523900.tif 000013
【図９】
2020523900.tif 000014
【図１０】
2020523900.tif 000015
【図１１】
2020523900.tif 000016
【図１２】
2020523900.tif 000017
【図１３】
2020523900.tif 000018
【図１４】
2020523900.tif 000019
【図１５】
2020523900.tif 000020
【図１６】
2020523900.tif 000021
【図１７】
2020523900.tif 000022
【図１８】
2020523900.tif 000023
【図１９】
2020523900.tif 000024
【図２０】
2020523900.tif 000025
【図２１】
2020523900.tif 000026
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
キャリア内のユーザ機器（UE）のための方法であって、
前記UEによって、共通周波数参照点を取得するステップと、
前記共通周波数参照点に従って、前記UEによって、PRBのPRBインデックスを決定するステップと
を含み、
前記共通周波数参照点は、前記共通周波数参照点に関連付けられた参照同期信号ブロック（SSB）によって識別され、
第1の周波数参照PRBは、前記共通周波数参照点で第2の周波数参照PRBと左揃えされる、
方法。
【請求項２】
前記UEによって、前記参照SSBに関連付けられた特定のPRBを取得するために、前記参照SSBの最低周波数からのオフセットを受信するステップ
をさらに含む、請求項1に記載の方法。
【請求項３】
前記UEによって、前記共通周波数参照点に基づいて生成された参照信号を送信するステップであって、前記共通周波数参照点は、前記キャリア内の全UEによって参照信号を生成するための、PRBインデックス化用の単一の周波数参照点である、ステップ
をさらに含む、請求項1または2に記載の方法。
【請求項４】
前記キャリアが第1のニューメロロジーおよび第2のニューメロロジーを含み、前記第1の周波数参照PRBが前記第1のニューメロロジーに関連付けられ、前記第2の周波数参照PRBが前記第2のニューメロロジーに関連付けられる、請求項1から3のいずれか一項に記載の方法。
【請求項５】
前記第1のニューメロロジーの第1のサブキャリア間隔が、前記第2のニューメロロジーの第2のサブキャリア間隔の2n倍であれば、前記第1のニューメロロジーの前記第1の周波数参照PRBの第1の周波数サイズは、前記第2のニューメロロジーの前記第2の周波数参照PRBの第2の周波数サイズの2n倍になる、請求項4に記載の方法。
【請求項６】
キャリア内のユーザ機器（UE）であって、前記UEは、
命令を含む非一時的なメモリ記憶装置と、
前記非一時的なメモリ記憶装置と通信する1つ以上のプロセッサであって、
共通周波数参照点を取得し、
前記共通周波数参照点に従って、PRBのPRBインデックスを決定する
命令を実行する、1つ以上のプロセッサと
を備え、
前記共通周波数参照点が、前記共通周波数参照点に関連付けられた参照同期信号ブロック（SSB）によって識別され、
第1の周波数参照PRBが、前記共通周波数参照点で第2の周波数参照PRBと左揃えされる、
ユーザ機器（UE）。
【請求項７】
前記1つ以上のプロセッサが、
前記参照SSBに関連付けられた特定のPRBを取得するために、前記参照SSBの最低周波数からのオフセットを受信する
命令を実行する、請求項6に記載のUE。
【請求項８】
前記1つ以上のプロセッサが、
前記共通周波数参照点に基づいて生成された参照信号を送信し、前記共通周波数参照点が、前記キャリア内の全UEによって参照信号を生成するための、PRBインデックス化用の単一の周波数参照点である、
命令を実行する、請求項6から7のいずれか一項に記載のUE。
【請求項９】
前記キャリアが、第1のニューメロロジーおよび第2のニューメロロジーを含み、前記第1の周波数参照PRBが前記第1のニューメロロジーに関連付けられ、前記第2の周波数参照PRBが前記第2のニューメロロジーに関連付けられる、請求項6から8のいずれか一項に記載のUE。
【請求項１０】
前記第1のニューメロロジーの第1のサブキャリア間隔が、前記第2のニューメロロジーの第2のサブキャリア間隔の2n倍であれば、前記第1のニューメロロジーの前記第1の周波数参照PRBの第1の周波数サイズが、前記第2のニューメロロジーの前記第2の周波数参照PRBの第2の周波数サイズの2n倍になる、請求項9に記載のUE。
【請求項１１】
キャリア内の基地局のための方法であって、
前記基地局によって、ユーザ機器に共通周波数参照点を送信するステップであって、前記共通周波数参照点は、PRBのPRBインデックスを決定するためのものであり、前記共通周波数参照点は、前記共通周波数参照点に関連付けられた参照同期信号ブロック（SSB）によって識別される、ステップ
を含み、
第1の周波数参照PRBは、前記共通周波数参照点で第2の周波数参照PRBと左揃えされる、
方法。
【請求項１２】
前記基地局によって、前記参照SSBに関連付けられた特定のPRBを取得するために、前記参照SSBの最低周波数からのオフセットを送信するステップ
をさらに含む、請求項11に記載の方法。
【請求項１３】
前記基地局によって、前記共通周波数参照点に基づいて生成された参照信号を受信するステップであって、前記共通周波数参照点が、前記キャリア内の全UEによって参照信号を生成するための、PRBインデックス化用の単一の周波数参照点である、ステップ
をさらに含む、請求項11から12のいずれか一項に記載の方法。
【請求項１４】
前記キャリアが第1のニューメロロジーおよび第2のニューメロロジーを含み、前記第1の周波数参照PRBが前記第1のニューメロロジーに関連付けられ、前記第2の周波数参照PRBが前記第2のニューメロロジーに関連付けられる、請求項11から13のいずれか一項に記載の方法。
【請求項１５】
前記第1のニューメロロジーの第1のサブキャリア間隔が、前記第2のニューメロロジーの第2のサブキャリア間隔の2n倍であれば、前記第1のニューメロロジーの前記第1の周波数参照PRBの第1の周波数サイズは、前記第2のニューメロロジーの前記第2の周波数参照PRBの第2の周波数サイズの2n倍になる、請求項14に記載の方法。
【請求項１６】
キャリア内の基地局であって、前記基地局は、
命令を含む非一時的なメモリ記憶装置と、
前記非一時的なメモリ記憶装置と通信する1つ以上のプロセッサであって、前記1つ以上のプロセッサは、
共通周波数参照点をユーザ機器に送信し、前記共通周波数参照点が、PRBのPRBインデックスを決定するためのものであり、前記共通周波数参照点が、前記共通周波数参照点に関連付けられた参照同期信号ブロック（SSB）によって識別される、
命令を実行する、1つ以上のプロセッサと
を含み、
第1の周波数参照PRBが、前記共通周波数参照点で第2の周波数参照PRBと左揃えされる、
基地局。
【請求項１７】
前記1つ以上のプロセッサが、前記参照SSBに関連付けられた特定のPRBを取得するために、前記参照SSBの最低周波数からのオフセットを送信する命令を実行する、請求項16に記載の基地局。
【請求項１８】
前記1つ以上のプロセッサが、前記共通周波数参照点に基づいて生成された参照信号を受信し、前記共通周波数参照点が、前記キャリア内の全UEによって参照信号を生成するための、PRBインデックス化用の単一の周波数参照点である、命令を実行する、請求項16から17のいずれか一項に記載の基地局。
【請求項１９】
前記キャリアが、第1のニューメロロジーおよび第2のニューメロロジーを含み、前記第1の周波数参照PRBが前記第1のニューメロロジーに関連付けられ、前記第2の周波数参照PRBが前記第2のニューメロロジーに関連付けられる、請求項16から18のいずれか一項に記載の基地局。
【請求項２０】
前記第1のニューメロロジーの第1のサブキャリア間隔が、前記第2のニューメロロジーの第2のサブキャリア間隔の2n倍であれば、前記第1のニューメロロジーの前記第1の周波数参照PRBの第1の周波数サイズが、前記第2のニューメロロジーの前記第2の周波数参照PRBの第2の周波数サイズの2n倍になる、請求項19に記載の基地局。
【国際調査報告】
2020523900.tif 000027
2020523900.tif 000028